(57)【要約】      （修正有）【課題】架空電車線用の補強型コーン状支持柱を提供する。【解決手段】架空電車線用の補強型コーン状支持柱は、柱本体１、フランジ２、及び固定板３を備える。柱本体は中空構造であり、底部がフランジに固定され、固定板は柱本体の側面、フランジに接続され、フランジには複数のボルト穴４が設けられる。柱本体はコーン状をしており、内部に２枚の補強板５が対称的に設けられ、補強板が柱本体の内側壁に固定され、ボルト穴が２列としてそれぞれ２枚の補強板の外側に配置される。直径が小さく、強度が高く、容量が大きく、構造強度を高めるとともに、支持柱の外径を３００ｍｍに維持するという要件を満たし、架空電車線や橋梁用に適しており、オーバーラップのデザインや外観性を最適化させる。【選択図】図１
0003230565.tif 000002
【実用新案登録請求の範囲】
【請求項１】
柱本体、フランジ、及び固定板を備え、前記柱本体は中空構造であり、底部が前記フランジに固定され、前記固定板は前記柱本体の側面、フランジに接続され、前記フランジには複数のボルト穴が設けられる架空電車線用の補強型コーン状支持柱であって、
前記柱本体はコーン状をしており、その内部に２枚の補強板が対称的に設けられ、前記補強板は前記柱本体の内側壁に固定され、前記ボルト穴は２列としてそれぞれ２枚の前記補強板の外側に配置される、ことを特徴とする強型架空電車線用のコーン状支持柱。
【請求項２】
前記補強板は円弧形状をしており、それぞれの外側に１列の前記ボルト穴が設けられ、２列の前記ボルト穴は対称的に設けられる、ことを特徴とする請求項１に記載の架空電車線用の補強型コーン状支持柱。
【請求項３】
前記固定板の上部の外側には、すべての前記固定板の上部に接続された固定リングが設けられる、ことを特徴とする請求項１に記載の架空電車線用の補強型コーン状支持柱。
【請求項４】
前記固定板と前記柱本体との間には、アーチプレートが設けられる、ことを特徴とする請求項１に記載の架空電車線用の補強型コーン状支持柱。
【考案の詳細な説明】
【技術分野】
【０００１】
本考案は、鉄道架空電車線施設の技術分野に関し、特に架空電車線用の補強型コーン状支持柱に関する。  
【背景技術】
【０００２】
都市の軌道交通における架空電車線は、公称電圧がＤＣ１５００Ｖであり、２０００Ａ以上の電流を受け、露天区間に架空電車線が使用されている場合、吊り構成には２本の吊架線と２本の電車線を用いるのが一般的であり、各ロープの張力が１２ｋＮである。オーバーラップには３スパン非絶縁オーバーラップと４スパン絶縁オーバーラップによる接合が使用される。４本のロープに同時にアンカーを付けると水平張力が極めて大きいので、幅広く使用されている容量１００ｋＮ・ｍ又は１２０ｋＮ・ｍの架空電車線支持柱の場合は、２本の吊架線と２本の電車線に別々区分する必要があり、このように、従来の３スパン非絶縁オーバーラップでは、オーバーラップを完成するのにその両端がそれぞれ１スパンだけ延長して５スパンになければならず、従来の４スパン絶縁オーバーラップでは、オーバーラップを完成するのにその両端がそれぞれ１スパンだけ延長して６スパンになければならず、それにより、架空電車線や橋梁の分野において多くの不便さを招く。
【０００３】
また、限界、経済性、外観性などによる影響のため、架空電車線支持柱の直径を制限なく増大することができず、ほとんどの区域では軌道交通を建設する際に架空電車線支持柱の直径が３００ｍｍ又は３５０ｍｍ以下に制限される。
【０００４】
したがって、上記欠陥を解決するために新技術案を提案することが期待される。架空電車線支持柱の直径を変えずに、強度を増大する架空電車線支持柱を開発し、オーバーラップを必要としなくし、２本の吊架線と２本の電車線については同一の電柱で区分することを可能とし、技術案のデザインや外観性を最適化させる。
【考案の概要】
【考案が解決しようとする課題】
【０００５】
本考案は、従来技術に存在している技術的課題に対して、２本の吊架線と２本の電車線については同一の電柱で区分することを可能とするとともに、支持柱の外径を３００ｍｍに維持し得る架空電車線用の補強型コーン状支持柱を提供する。
【課題を解決するための手段】
【０００６】
本考案で採用される技術案は以下のとおりである。柱本体、フランジ、及び固定板を備え、前記柱本体は中空構造であり、底部が前記フランジに固定され、前記固定板は前記柱本体の側面、フランジに接続され、前記フランジには複数のボルト穴が設けられる架空電車線用の補強型コーン状支持柱であって、
前記柱本体はコーン状をしており、その内部に２枚の補強板が対称的に設けられ、前記補強板は前記柱本体の内側壁に固定され、前記ボルト穴は２列としてそれぞれ２枚の前記補強板の外側に配置される。
【０００７】
好ましくは、前記補強板は円弧形状をしており、それぞれの外側に１列の前記ボルト穴が設けられ、２列の前記ボルト穴は対称的に設けられる。
【０００８】
好ましくは、前記固定板の上部の外側には、すべての前記固定板の上部に接続された固定リングが設けられる。
【０００９】
好ましくは、前記固定板と前記柱本体との間には、アーチプレートが設けられる。
【００１０】
作動原理
柱本体の内部に２枚の補強板を取り付けることにより、柱本体の直径を一定に維持しながら、柱本体の強度及び負荷能力を向上させる。ボルト穴の数を増やし、柱本体の両側に対称的に配置することにより、フランジの受力を変え、フランジと基盤との接続を良好にする。固定リング、アーチプレートによって柱本体と固定板との接続強度が高まる。
【考案の効果】
【００１１】
従来技術に比べて、本考案の有益な効果は以下のとおりである。本考案は、直径が小さく、強度が高く、容量が大きいという特徴を有し、構造強度を高めるとともに、支持柱の外径を３００ｍｍに維持するという要件を満たし、架空電車線や橋梁の分野に適しており、オーバーラップのデザインや外観性を最適化させる。
【図面の簡単な説明】
【００１２】
【図１】本考案の構造模式図である。
【図２】本考案の上面模式図である。
【考案を実施するための形態】
【００１３】
当業者が本考案の技術案をよりよく理解できるように、以下、図面及び特定の実施例を参照して本考案を詳細に説明する。
【００１４】
本考案の実施例は、架空電車線用の補強型コーン状支持柱を開示し、図に示すように、前記架空電車線用の補強型コーン状支持柱は、柱本体１、フランジ２、及び固定板３を備え、前記柱本体１はコーン状をしており、中空構造であり、底部の直径３００ｍｍ、テーパー１／１００、高さ７５００ｍｍ、肉厚１４ｍｍであり、前記柱本体１の内部には２枚の補強板５が対称的に設けられ、前記補強板５は前記柱本体１の内側壁に固定され、円弧状をしており、長さ７３００ｍｍ、厚さ１４ｍｍ、幅１２０ｍｍであり、前記柱本体１の底部が前記フランジ２に固定され、前記フランジ２にはＭ３９ボルトの接続に用いられる８個のボルト穴４が設けられ、前記ボルト穴４は、２列としてそれぞれ２枚の前記補強板５の外側に配置され、２列の前記ボルト穴４は対称的に設けられる。複数の前記固定板３はフランジ２に固定され、前記固定板３と前記柱本体１との間には、アーチプレート６が設けられ、アーチプレート６は、一方の面が円弧状をしており、柱本体１に密着し、他方の面に固定板３が挿入する溝が設けられる。前記固定板３の上部の外側には、すべての前記固定板３の上部に接続された固定リング７が設けられる。
【００１５】
以上、実施例にて本考案を詳細に説明したが、前記内容は本考案の例示的な実施例に過ぎず、本考案の実施範囲を限定すると見なすべきではない。本考案の特許範囲は実用新案登録出願の範囲により限定される。本考案に記載の技術案を利用して、又は当業者が本考案の技術案に基づいて、本考案の主旨及び特許範囲内で設計した上記技術的効果を奏する類似の技術案や、出願範囲について行う等価変化や改良などは、すべて本考案の特許がカバーする特許範囲に属する。
【符号の説明】
【００１６】
１−柱本体、２−フランジ、３−固定板、４−ボルト穴、５−補強板、６−アーチプレート、７−固定リング。
【図１】
0003230565.tif 000003
【図２】
0003230565.tif 000004